(57)【要約】【課題】専用の半導体集積回路を用いることなく、１組の磁気ヘッドと光ピックアップを用いて光ディスク間でデータをダビングすることができる光ディスク装置と、その光ディスク装置を構成する半導体集積回路を提供することを目的とする。【解決手段】ＰＷＭ変換回路５８，５８ｐの出力を高インピーダンス状態にするＰＷＭ停止回路１１１，１１１ｐと、ＲＦアンプ制御回路５１０，５１０ｐの出力を高インピーダンス状態にするＲＦアンプ制御停止回路１１２と、サーボＡＤＣ１１０，１１０ｐを停止状態にするとともに、ＰＷＭ停止回路１１１及びＲＦアンプ制御停止回路１１２を制御する入出力制御回路１１３により、光ディスクとインターフェースしていない半導体集積回路１１４または１１４ｐ内の、サーボＡＤＣ、ＰＷＭ変換回路及びＲＦアンプ制御回路を停止状態にする。【選択図】      図１
2004152415.tif 000002
【特許請求の範囲】
【請求項１】
外部回路からアナログ信号を入力し、アナログデジタル変換するアナログデジタル変換手段と、
前記アナログデジタル変換手段の出力を入力し、所定のデジタル演算処理を施すデジタル演算手段と、
前記デジタル演算手段の出力をデジタルアナログ変換するデジタルアナログ変換手段と、
外部回路制御信号を出力して前記外部回路の動作を制御する外部回路制御手段と、
外部より入力する制御信号に従って前記アナログデジタル変換手段を停止状態にするとともに、前記デジタルアナログ変換手段の出力および前記外部回路制御手段の出力を高インピーダンス状態にする入出力制御手段と、を備えることを特徴とする半導体集積回路。
【請求項２】
請求項１記載の半導体集積回路において、
前記アナログデジタル変換手段は、
複数のアナログ信号から１つの信号を選択する信号選択部と、
前記信号選択部の出力をアナログデジタル変換するアナログデジタル変換部とを備え、
前記入出力制御手段が外部より入力する制御信号に従ってアナログデジタル変換手段を停止状態にする際、前記信号選択部はいずれの信号も選択しないことを特徴とする半導体集積回路。
【請求項３】
外部回路からアナログ信号を入力し、アナログデジタル変換するアナログデジタル変換手段と、
前記アナログデジタル変換手段の出力を入力し、所定のデジタル演算処理を施すデジタル演算手段と、
前記デジタル演算手段の出力をデジタルアナログ変換するデジタルアナログ変換手段と、
外部回路制御信号を出力して前記外部回路の動作を制御する外部回路制御手段と、
外部より入力する制御信号に従って前記アナログデジタル変換手段を停止状態にするとともに、前記デジタルアナログ変換手段の出力および前記外部回路制御手段の出力を高インピーダンス状態にする入出力制御手段とを有するＭ個の半導体集積回路と、
集光手段を介して光ビームを照射し、反射光を電気信号に変換して出力する光ピックアップと、
前記光ピックアップが出力する電気信号に対して所定のアナログ演算処理を施すアナログ演算手段と、
前記集光手段の位置を決める集光手段駆動信号を前記光ピックアップに対して出力する駆動信号生成手段と、
前記各手段を制御するシステム制御手段とを備え、
前記アナログ演算手段の出力をＭ個の前記半導体集積回路のアナログデジタル変換手段に入力し、Ｍ個の前記半導体集積回路のデジタルアナログ変換手段の出力を前記駆動信号生成手段に入力し、Ｍ個の前記半導体集積回路が出力する外部回路制御信号を前記アナログ演算手段に入力し、
Ｍ個の前記半導体集積回路の入出力制御手段が、前記システム制御手段の指示に基づいて、Ｍ−１個の前記半導体集積回路の前記アナログデジタル変換手段を停止状態にするとともに、前記デジタルアナログ変換手段の出力および前記外部回路制御手段の出力を高インピーダンス状態にする制御を行うことを特徴とする光ディスク装置。
【請求項４】
請求項３記載の光ディスク装置において、
前記アナログデジタル変換手段は、
複数のアナログ信号から１つの信号を選択する信号選択部と、
前記信号選択部の出力をアナログデジタル変換するアナログデジタル変換部とを備え、
前記入出力制御手段が外部より入力する制御信号に従ってアナログデジタル変換手段を停止状態にする際、前記信号選択部はいずれの信号も選択しないことを特徴とする光ディスク装置。
【発明の詳細な説明】
【０００１】
【発明の属する技術分野】
本発明は、同心円状あるいは、螺旋状の情報トラックを有する光ディスクに対して情報の記録あるいは再生を行う光ディスク装置、および、これに用いる半導体集積回路に関する。
【０００２】
【従来の技術】
近年、ＣＤ（Ｃｏｍｐａｃｔ  Ｄｉｓｃ）やＭＤ（Ｍｉｎｉ  Ｄｉｓｃ）等のように、同心円状あるいは、らせん状の情報トラックを有する光ディスクに対して情報の記録あるいは再生を行う光ディスク装置が開発されている。最近では、記録あるいは再生といった基本動作に加え、２つの光ディスク間でデータのダビングを実現できる、より使い勝手が向上した光ディスク装置が提案されている。例えば、この種の従来の光ディスク装置は、ＭＤを想定し、一組の記録用磁気ヘッドと記録再生用光ピックアップとを用いて、再生用光ディスクから読み出したデータを記録用光ディスクへダビングすることができる装置である（特許文献１参照）。この特許文献１に開示されている光ディスク装置の構成を書き直したものを図４に示す。
【０００３】
【特許文献１】
特開平６−１５０４０４号公報（第４−５頁、第１図）
【０００４】
図４において、光ディスク装置４００は、光ピックアップ４３と、対物レンズ４４と、磁気ヘッド４５と、高周波（ＲＦ）アンプ４６と、ＥＦＭエンコーダ／デコーダ４７と、間欠再生用メモリ４８と、間欠記録用メモリ４９と、間欠記録再生用メモリコントローラ４１０と、音声圧縮デコーダ４１１と、オーディオＤＡＣ（Ｄｉｇｉｔａｌ  Ａｎａｌｏｇ  Ｃｏｎｖｅｒｔｅｒ）４１２と、再生信号切り替えスイッチ４１３と、音声圧縮エンコーダ４１４と、圧縮信号切り替えスイッチ４１５と、オーディオＡＤＣ（Ａｎａｌｏｇ  Ｄｉｇｉｔａｌ  Ｃｏｎｖｅｒｔｅｒ）４１６と、サーボ制御回路４１７と、システムコントローラ４１８とを備え、再生用光ディスク４１から圧縮音声データを再生するとともに、記録用光ディスク４２に圧縮音声データを記録する。光ピックアップ４３は再生用光ディスク４１または記録用光ディスク４２に対して光ビームを集光する対物レンズ４４を含み、再生用光ディスク４１または記録用光ディスク４２に対して光ビームを照射し、反射光を電気信号に変換して出力する。磁気ヘッド４５は光ピックアップ４３と協同して記録用光ディスク４２にデータを記録する。ＲＦアンプ４６は光ピックアップ４３が出力する電気信号に対して所定のアナログ演算処理をする。ＥＦＭエンコーダ／デコーダ４７は入力したデータに対して誤り検出訂正処理および変調処理を行う。ＭＤにデータを記録する場合は、誤り検出訂正方式としてＣＩＲＣ（Ｃｒｏｓｓ  Ｉｎｔｅｒｌｅａｖｅ  Ｒｅｅｄ−ｓｏｌｏｍｏｎ  Ｃｏｄｅ）方式、変調方式としてＥＦＭ（Ｅｉｇｈｔ  ｔｏ  Ｆｏｕｒｔｅｅｎ  Ｍｏｄｕｌａｔｉｏｎ）方式を採用する。間欠再生用メモリ４８は、再生動作時に、再生用光ディスク４１から読み出されたデータを一時的に蓄える。間欠記録用メモリ４９は記録用光ディスク４２に記録するデータを一時的に蓄える。間欠記録再生用メモリコントローラ４１０は間欠再生用メモリ４８と間欠記録用メモリ４９を制御する。音声圧縮デコーダ４１１は間欠記録再生用メモリコントローラ４１０が出力するデータを音声伸張処理する。オーディオＤＡＣ４１２は入力したデジタル音声データをアナログ音声信号に変換する。再生信号切り替えスイッチ４１３はオーディオＤＡＣ４１２に入力するアナログ音声信号を選択する。音声圧縮エンコーダ４１４は入力したデジタル音声データを音声圧縮処理する。圧縮信号切り替えスイッチ４１５は音声圧縮エンコーダ４１４に入力するデジタル音声データを選択する。オーディオＡＤＣ４１６はアナログ音声信号をデジタル音声データに変換する。サーボ制御回路４１７はＲＦアンプ４６からのサーボ誤差信号を入力し、位相補償などの処理を施し、サーボ駆動信号として出力する。システムコントローラ４１８は、記録あるいは再生動作に伴い、光ディスク装置全体を制御する。
【０００５】
以下、光ディスク装置４００が、再生用光ディスク４１から記録用光ディスク４２へデータをダビングする際の動作について説明する。まず、システムコントローラ４１８の制御に基づいて再生用光ディスクからデータが読み出される。また、システムコントローラ４１８は、圧縮信号切り替えスイッチ４１５を音声圧縮デコーダ４１１側に設定する。
【０００６】
以下、再生用光ディスク４１からデータを読み出す際の動作について詳細に説明する。まず、システムコントローラ４１８が再生用光ディスク４１を磁気ヘッド４５および光ピックアップ４３に対向する位置に移動させる。次に、光ピックアップ４３が対物レンズ４４を介して光ビームを再生用光ディスク４１に照射する。再生用光ディスク４１からの反射光は光ピックアップ４３内で電気信号に変換される。その電気信号は、ＲＦアンプ４６に入力される。次に、ＲＦアンプ４６が、入力した電気信号からサーボ制御回路４１７が使用するサーボ誤差信号を生成する。一般に、光ディスク装置では、サーボ制御として、光ディスク上に光ビームの焦点を合わせるフォーカスサーボ、光ディスク上に配置されているトラックに光ビームを追従させるトラッキングサーボ、光ピックアップを光ディスクの径方向に移動させるトラバースサーボ、光ディスクを回転させるスピンドルサーボなどのサーボ制御が行なわれるが、ここでは、説明の簡略化のためにフォーカスサーボのみを例にとって説明する。フォーカスサーボを行なう際、ＲＦアンプ４６は、光ビームの焦点が合っているかどうかを示すフォーカス誤差信号を生成し、サーボ制御回路４１７に出力する。サーボ制御回路４１７は、入力したフォーカス誤差信号に対し、位相補償などの処理を施してフォーカス駆動信号を生成し、光ピックアップ４３に出力する。光ピックアップ４３は、フォーカス駆動信号に従い、対物レンズ４４を光ディスクに対して垂直方向に移動させ、光ビームの焦点を合わせる。そして、このフォーカス制御に前後して、光ピックアップ４３、ＲＦアンプ４６及びサーボ制御回路４１７により、トラッキングサーボ、トラバースサーボ、スピンドルサーボなどのサーボ制御を実施することにより、再生用光ディスク４１からデータを読み出すことができる。
【０００７】
再生用光ディスク４１から読み出されたデータは、ＲＦアンプ４６によりアナログ演算処理が、ＥＦＭエンコーダ／デコーダ４７により誤り検出訂正処理およびＥＦＭ変調処理が、それぞれ施された後、間欠記録再生用メモリコントローラ４１０により間欠再生用メモリ４８に格納される。システムコントローラ４１８は、間欠再生用メモリ４８に所定量のデータが溜まると、そのデータを格納時より低いデータレートで読み出し、音声圧縮デコーダ４１１に供給する。音声圧縮デコーダ４１１は入力したデータを音声伸張処理する。この音声伸張処理されたデータは、圧縮信号切り替えスイッチ４１５を経由して、音声圧縮エンコーダ４１４に入力され、音声圧縮処理される。この音声伸張処理及び音声圧縮処理は、ＭＤでは規格上、音声圧縮データのダビングは禁止されているため行なう必要がある。
【０００８】
次に、読み出されたデータを記録する動作について詳細に説明する。音声圧縮エンコーダ４１４によるデータの再圧縮処理と同時に、システムコントローラ４１８は、記録用光ディスク４２を磁気ヘッド４５および光ピックアップ４３に対向する位置に移動させる。音声圧縮エンコーダ４１４は音声圧縮処理したデータを、間欠記録再生用メモリコントローラ４１０に出力する。間欠記録再生用メモリコントローラ４１０は入力したデータを間欠記録用メモリ４９に格納する。システムコントローラ４１８は、間欠記録用メモリ４９に所定量のデータが溜まると、そのデータを間欠記録用メモリ４９に書き込むより高いデータレートで読み出し、ＥＦＭエンコーダ／デコーダ４７に出力する。ＥＦＭエンコーダ／デコーダ４７は、入力したデータに対して誤り検出訂正符号を付加し、かつ、ＥＦＭ変調処理を施す。そして、生成した信号を磁気ヘッド４５に出力する。磁気ヘッド４５は、入力した信号に従い、光ピックアップ４３と協同してデータを記録用光ディスク４２に記録する。
【０００９】
以上のように従来の光ディスク装置４００では、音声圧縮デコーダと音声圧縮エンコーダを同時並行して動作させることにより、一旦光ディスクから読み出した再生データを音声伸張した後に再度圧縮して光ディスクに記録することができる。
【００１０】
続いて、対比のために、ダビング機能を有しない一般的な光ディスク装置について図５を用いて説明する。図５は、ダビング機能を有しない光ディスク装置５００の構成を示すブロック図である。図５において、従来の光ディスク装置４００と同一または相当する構成要素については同一符号を付し説明を省略する。
光ディスク装置５００は、光ディスク５１に圧縮音声データを記録するあるいは光ディスクに記録された圧縮音声データを光ディスク５１から再生する装置である。
【００１１】
ＲＦアンプ５２は、後述するＲＦアンプ制御回路５１０の指示に従い、光ピックアップ４３が出力する電気信号に対してアナログ演算処理をする。メモリ回路５３は、光ディスク５１から再生されたデータあるいは光ディスク５１に記録するデータを一時的に蓄える。ショックプルーフメモリコントローラ５４はメモリ回路５３へのデータの読み出し及び書き込みを制御する。音声圧縮エンコーダ／デコーダ５５は、光ディスク５１から読み出されたデータを音声伸張処理して、オーディオＤＡＣ４１２に出力する、あるいは、オーディオＡＤＣ４１６から入力したデータを音声圧縮処理して、ショックプルーフメモリコントローラ５４に出力する。サーボＡＤＣ５６はＲＦアンプ５２が出力するサーボ誤差信号をアナログデジタル変換する。サーボループフィルタ５７は、サーボＡＤＣ５６の出力に対し、デジタルフィルタによる位相補償などの処理を行なう。ＰＷＭ変換回路５８はサーボループフィルタ５７の出力をＰＷＭ（Ｐｕｌｓｅ  Ｗｉｄｔｈ  Ｍｏｄｕｒａｔｉｏｎ）変換する。ＰＷＭ変換はデジタルアナログ変換の一種である。サーボドライバ５９はＰＷＭ変換回路５８の出力を電流増幅して光ピックアップ４３に供給する。ＲＦアンプ制御回路５１０はＲＦアンプ５２の動作モードを決める。マイクロコントローラ５１１は光ディスク装置全体を制御する。磁気ヘッドドライバ５１２はＥＦＭエンコーダ／デコーダ４７の出力に従い磁気ヘッド４５を駆動する。
【００１２】
【発明が解決しようとする課題】
以下、１組の磁気ヘッドと光ピックアップを用いて、光ディスク間でデータをダビングする従来の光ディスク装置の課題について説明する。
【００１３】
光ディスク装置５００のような一般に普及しているダビング機能を備えない光ディスク装置は、音声圧縮デコード処理と音声圧縮エンコード処理を同時に行う必要がない。よって、１つのデジタルシグナルプロセッサ（以下、ＤＳＰと称す）を用いて、より少ない回路で低コストな半導体集積回路で構成することができる。実際に、音声圧縮デコード処理と音声圧縮エンコード処理は、音声処理という点で共通する部分が多いため、１つのＤＳＰを用いて、ソフトウエアを切り替えることによって処理することが多い。図５に示すように、光ディスク装置５００の各構成要素は、ＥＦＭエンコーダ／デコーダ４７、ショックプルーフメモリコントローラ５４、音声圧縮エンコーダ／デコーダ５５、オーディオＤＡＣ４１２、サーボＡＤＣ５６、サーボループフィルタ５７、ＰＷＭ変換回路５８、及びＲＦアンプ制御回路５１０が半導体部品として一つの半導体集積回路５１３に集積され、ＲＦアンプ５２、メモリ回路５３、サーボドライバ５９、マイクロコントローラ５１１、磁気ヘッドドライバ５１２が個別の部品として構成されることが多い。
【００１４】
これに対し、光ディスク装置４００のように、１組の磁気ヘッドと光ピックアップを用いて、光ディスク間でデータをダビングする光ディスク装置では、音声圧縮デコード処理と音声圧縮エンコード処理とを同時並行させるためにＤＳＰやメモリなどの周辺回路を２つ設ける必要がある。そのため、光ディスク装置４００の各構成要素を半導体集積回路に集積する場合には、この装置に合った専用の半導体回路を開発しなければならず、時間と費用の面で負担が大きくなるという課題があった。また、集積する部品の種類が増えることで量産してもコストの低下が期待できないという課題もあった。
【００１５】
従って、本発明は、上記問題を解決するために、専用の半導体集積回路を用いることなく、１組の磁気ヘッドと光ピックアップを用いて光ディスク間でデータをダビングすることができる光ディスク装置と、その光ディスク装置を構成する半導体集積回路を提供することを目的とする。
【００１６】
【課題を解決するための手段】
上記課題を解決するために、本発明の請求項１に係る半導体集積回路は、外部回路からアナログ信号を入力し、アナログデジタル変換するアナログデジタル変換手段と、前記アナログデジタル変換手段の出力を入力し、所定のデジタル演算処理を施すデジタル演算手段と、前記デジタル演算手段の出力をデジタルアナログ変換するデジタルアナログ変換手段と、外部回路制御信号を出力して前記外部回路の動作を制御する外部回路制御手段と、外部より入力する制御信号に従って前記アナログデジタル変換手段を停止状態にするとともに、前記デジタルアナログ変換手段の出力および前記外部回路制御手段の出力を高インピーダンス状態にする入出力制御手段と、を備えることを特徴とする。
【００１７】
また、本発明の請求項２に係る半導体集積回路は、請求項１記載の半導体集積回路において、前記アナログデジタル変換手段は、複数のアナログ信号から１つの信号を選択する信号選択部と、前記信号選択部の出力をアナログデジタル変換するアナログデジタル変換部とを備え、前記入出力制御手段が外部より入力する制御信号に従ってアナログデジタル変換手段を停止状態にする際、前記信号選択部はいずれの信号も選択しないことを特徴とする。
【００１８】
また、本発明の請求項３に係る光ディスク装置は、外部回路からアナログ信号を入力し、アナログデジタル変換するアナログデジタル変換手段と、前記アナログデジタル変換手段の出力を入力し、所定のデジタル演算処理を施すデジタル演算手段と、前記デジタル演算手段の出力をデジタルアナログ変換するデジタルアナログ変換手段と、外部回路制御信号を出力して前記外部回路の動作を制御する外部回路制御手段と、外部より入力する制御信号に従って前記アナログデジタル変換手段を停止状態にするとともに、前記デジタルアナログ変換手段の出力および前記外部回路制御手段の出力を高インピーダンス状態にする入出力制御手段とを有するＭ個の半導体集積回路と、集光手段を介して光ビームを照射し、反射光を電気信号に変換して出力する光ピックアップと、前記光ピックアップが出力する電気信号に対して所定のアナログ演算処理を施すアナログ演算手段と、前記集光手段の位置を決める集光手段駆動信号を前記光ピックアップに対して出力する駆動信号生成手段と、前記各手段を制御するシステム制御手段とを備え、前記アナログ演算手段の出力をＭ個の前記半導体集積回路のアナログデジタル変換手段に入力し、Ｍ個の前記半導体集積回路のデジタルアナログ変換手段の出力を前記駆動信号生成手段に入力し、Ｍ個の前記半導体集積回路が出力する外部回路制御信号を前記アナログ演算手段に入力し、Ｍ個の前記半導体集積回路の入出力制御手段が、前記システム制御手段の指示に基づいて、Ｍ−１個の前記半導体集積回路の前記アナログデジタル変換手段を停止状態にするとともに、前記デジタルアナログ変換手段の出力および前記外部回路制御手段の出力を高インピーダンス状態にする制御を行うことを特徴とする。
【００１９】
また、本発明の請求項４にかかる光ディスク装置は、請求項３記載の光ディスク装置において、前記アナログデジタル変換手段は、複数のアナログ信号から１つの信号を選択する信号選択部と、前記信号選択部の出力をアナログデジタル変換するアナログデジタル変換部とを備え、前記入出力制御手段が外部より入力する制御信号に従ってアナログデジタル変換手段を停止状態にする際、前記信号選択部はいずれの信号も選択しないことを特徴とする。
【００２０】
【発明の実施の形態】
（実施の形態１）
以下、本実施の形態１では、再生用光ディスクから記録用光ディスクへデータのダビングが可能な光ディスク装置および、これを構成する半導体集積回路について図１〜図３を用いて説明する。図１は、本実施の形態１に係る光ディスク装置の構成を示すブロック図、図２は本実施の形態１に係る光ディスク装置の動作を示すタイミングチャート、図３は後述するサーボＡＤＣ１１０，１１０ｐの内部構成を示すブロック図である。
【００２１】
まず、図１を用いて光ディスク装置１００の構成について説明する。なお、従来の光ディスク装置４００及び５００と同一または相当する構成要素については同一符号を付し、説明を省略する。光ディスク装置１００は、光ピックアップ４３と、対物レンズ（集光手段）４４と、磁気ヘッド４５と、ＲＦアンプ（アナログ演算手段）５２と、メモリ回路５３及び５３ｐと、サーボドライバ（駆動信号生成手段）５９と、同一構成要素からなる半導体集積回路１１４及び１１４ｐと、マイクロコントローラ（システム制御手段）１１５と、ＡＤＣ入力切り替えスイッチ１１６と、オーディオ出力切り替えスイッチ１１７と、オーデイオＡＤＣ４１６と、磁気ヘッドドライバ５１２とを備える。
【００２２】
光ディスク装置１００は、２つのメモリ回路と、同一種の２つの半導体集積回路を備えることを特徴とする。２つの半導体集積回路は、一方を記録用に、もう一方を再生用に用いる。本実施の形態１では、図１に示すように、半導体集積回路１１４を記録用に、半導体集積回路１１４ｐを再生用に用いることとし、再生用半導体集積回路１１４ｐ内の構成要素のすべても符号“ｐ”を付して説明する。半導体集積回路１１４は、それぞれ、ＥＦＭエンコーダ／デコーダ４７、ショックプルーフメモリコントローラ５４、音声圧縮エンコーダ／デコーダ５５、サーボループフィルタ（デジタル演算手段）５７、ＰＷＭ変換回路（デジタルアナログ変換手段）５８、サーボＡＤＣ（アナログデジタル変換手段）１１０、ＰＷＭ停止回路（外部回路制御手段）１１１、ＲＦアンプ制御停止回路（外部回路制御手段）１１２、入出力制御回路（入出力制御手段）１１３、オーディオＤＡＣ４１２及びＲＦアンプ制御回路５１０を集積した半導体集積回路である。なお、半導体集積回路１１４ｐも半導体集積回路１１４と同一の構成要素を集積した半導体集積回路であることから、半導体集積回路１１４ｐの構成に関する説明は省略する。
【００２３】
また、光ディスク装置１００において、半導体集積回路１１４が、サーボＡＤＣ１１０、ＰＷＭ停止回路１１１、ＲＦアンプ制御停止回路１１２及び入出力制御回路１１３を備えることを特徴とする。サーボＡＤＣ１１０は、入出力制御回路１１３の制御に従い動作を停止する回路であり、ＲＦアンプ５２が出力するサーボ誤差信号を入力しアナログデジタル変換する。ＰＷＭ停止回路１１１はＰＷＭ変換回路５８の出力を高インピーダンス状態にする。ＲＦアンプ制御停止回路１１２はＲＦアンプ制御回路５１０の出力を高インピーダンス状態にする。入出力制御回路１１３は、サーボＡＤＣ１１０、ＰＷＭ停止回路１１１、ＲＦアンプ制御停止回路１１２を制御する。
【００２４】
また、図１において、マイクロコントローラ１１５は光ディスク装置全体を制御する。ＡＤＣ入力切り替えスイッチ１１６はオーディオＡＤＣ４１６に入力するアナログ音声信号を切り替える。オーディオ出力切り替えスイッチ１１７は外部に出力するアナログ音声信号を切り替える。
【００２５】
また、光ディスク装置１００では、ＲＦアンプ５２の出力は、２つの半導体集積回路１１４及び１１４ｐに並列に入力される。そして、２つの半導体集積回路１１４及び１１４ｐが出力するＲＦアンプ５２への制御信号とサーボドライバ５９への出力信号は、半導体集積回路１１４及び１１４ｐの外で一つの信号になり、それぞれＲＦアンプ５２とサーボドライバ５９に入力される。
【００２６】
以下、光ディスク装置１００が再生用光ディスク４１から記録用光ディスク４２にデータをダビングする際の動作について説明する。
まず、再生用光ディスク４１からデータを読み出す動作について説明する。この動作においては、まず、マイクロコントローラ１１５が、記録用半導体集積回路１１４の入出力制御回路１１３に、サーボＡＤＣ１１０を停止状態にするとともに、ＰＷＭ停止回路１１１及びＲＦアンプ制御停止回路１１２を制御して、ＰＷＭ変換回路５８の出力とＲＦアンプ制御回路５１０の出力とを高インピーダンス状態にするように指示する。これにより、サーボＡＤＣ１１０、ＰＷＭ変換回路５８及びＲＦアンプ制御回路５１０は停止状態になる。また、この動作と並行して、再生用半導体集積回路１１４ｐの入出力制御回路１１３ｐに、サーボＡＤＣ１１０ｐを動作状態にするとともに、ＰＷＭ停止回路１１１ｐ及びＲＦアンプ制御停止回路１１２ｐを制御して、ＰＷＭ変換回路５８ｐの出力とＲＦアンプ制御回路５１０ｐの出力とを高インピーダンスの状態から解除するように指示する。これにより、サーボＡＤＣ１１０ｐ、ＰＷＭ変換回路５８ｐ及びＲＦアンプ制御回路５１０ｐは動作状態になる。
【００２７】
次に、マイクロコントローラ１１５は、再生用光ディスク４１からデータを読み出すために、再生用光ディスク４１と光ピックアップ４３が対向するよう再生用光ディスク４１あるいは光ピックアップ４３を移動させる。
次に、マイクロコントローラ１１５は、ＡＤＣ入力切り替えスイッチ１１６をオーディオＤＡＣ４１２ｐ側に設定する。
【００２８】
次に、マイクロコントローラ１１５は、記録側の音声圧縮エンコーダ／デコーダ５５およびショックプルーフメモリコントローラ５４を記録モードにする。すなわち、オーディオＡＤＣ４１６からのデータが音声圧縮エンコードされてメモリ回路５３に蓄えられるモードにする。
【００２９】
次に、再生用半導体集積回路１１４ｐのＲＦアンプ制御回路５１０ｐがＲＦアンプ５２のモード設定を行う。このモード設定の後、ＲＦアンプ５２はサーボ誤差信号をサーボＡＤＣ１１０ｐに出力する。サーボ誤差信号はサーボＡＤＣ１１０ｐでアナログデジタル変換された後、サーボループフィルタ５７ｐ及びＰＷＭ変換回路５８ｐにより従来例で説明したものと同様の処理が施され、サーボドライバ５９に入力される。そして、サーボドライバ５９は、入力した信号に基づいて、フォーカスサーボ、トラッキングサーボ、トラバースサーボ、及びスピンドルサーボなどサーボ制御を行う。これにより、再生用光ディスク４１からデータが読み出される。なお、この再生動作中には、記録用半導体集積回路１１４の出力は、ＰＷＭ停止回路１１１、ＲＦアンプ制御停止回路１１２により高インピーダンス状態になっているため、ＲＦアンプ５２のモード設定及びサーボ制御は再生用半導体集積回路１１４ｐのみで行われる。
【００３０】
続いて、再生用光ディスク４１から読み出されたデータを記録用光ディスク４２に記録する動作について説明する。この動作においては、まず、マイクロコントローラ１１５が、記録用半導体集積回路１１４の入出力制御回路１１３に、サーボＡＤＣ１１０を動作状態にするように指示するとともに、ＰＷＭ停止回路１１１及びＲＦアンプ制御停止回路１１２を制御して、ＰＷＭ変換回路５８の出力とＲＦアンプ制御回路５１０の出力とを高インピーダンス状態から解除するように指示する。これにより、サーボＡＤＣ１１０、ＰＷＭ変換回路５８及びＲＦアンプ制御回路５１０は動作状態になる。また、この動作と並行して、再生用半導体集積回路１１４ｐの入出力制御回路１１３ｐに、サーボＡＤＣ１１０ｐを停止状態にするとともに、ＰＷＭ停止回路１１１ｐ及びＲＦアンプ制御停止回路１１２ｐを制御して、ＰＷＭ変換回路５８ｐの出力とＲＦアンプ制御回路５１０ｐの出力とを高インピーダンスの状態にするように指示する。これにより、サーボＡＤＣ１１０ｐ、ＰＷＭ変換回路５８ｐ及びＲＦアンプ制御回路５１０ｐは停止状態になる。
【００３１】
再生用光ディスク４１から読み出されたデータは、ＲＦアンプ５２を経由し、ＥＦＭエンコーダ／デコーダ４７ｐに入力される。ＥＦＭエンコーダ／デコーダ４７ｐは、入力したデータに対して誤り検出訂正処理及びＥＦＭ変調処理を施し、ショックプルーフメモリコントローラ５４ｐに出力する。なお、ＲＦアンプ５２の出力はＥＦＭエンコーダ／デコーダ４７にも入力されるが、記録用半導体集積回路１１４は記録モード、すなわちＥＦＭエンコーダ／デコーダ４７がエンコードの状態になっているため、入力されたデータは使用されない。
【００３２】
次に、ショックプルーフメモリコントローラ５４ｐは、入力したデータをメモリ回路５３ｐに一時格納し、格納時より低いデータレートで読み出し、音声圧縮エンコーダ／デコーダ５５ｐに出力する。例えば、格納時のデータレートを読み出し時のデータレートの５倍とし、メモリ回路５３ｐに５秒間の音声再生が可能な音声圧縮データを格納可能とする。この場合、再生用光ディスク４１から１秒間データを読み出すとすると、続く４秒間は再生用光ディスク４１からデータを読み出す必要がなくなる。光ディスク装置１００では、この４秒間を使ってダビング処理を実現している。
【００３３】
次に、音声圧縮エンコーダ／デコーダ５５ｐは入力したデータを音声伸張処理してオーディオＤＡＣ４１２ｐに出力する。オーディオＤＡＣ４１２ｐは、入力したデータをアナログ音声信号にデジタルアナログ変換して出力する。オーディオＤＡＣ４１２ｐから出力されたアナログ音声信号は、ＡＤＣ入力切り替えスイッチ１１６を経由してオーディオＡＤＣ４１６に入力され、デジタル音声データにアナログデジタル変換されたのち、記録側の音声圧縮エンコーダ／デコーダ５５により、音声圧縮処理される。その後、音声圧縮処理されたデータは、ショックプルーフメモリコントローラ５４により、メモリ回路５３に蓄えられる。
【００３４】
次に、メモリ回路５３に所定量のデータが貯まると、マイクロコントローラ１１５の制御に基づいて、以下に示す２つの処理が行われる。第１の処理は磁気ヘッド４５の制御処理である。この処理においては、まず、ショックプルーフメモリコントローラ５４が、メモリ回路５３からデータを書き込み時より高いデータレートで読み出し、ＥＦＭエンコーダ／デコーダ４７に出力する。次に、ＥＦＭエンコーダ／デコーダ４７が、入力したデータに誤り検出訂正符号を付加し、さらにＥＦＭ変調処理を行って、磁気ヘッド４５に供給する信号を生成する。この信号は磁気ヘッドドライバ５１２で電流増幅され、磁気ヘッド４５に供給される。第２の処理は光ピックアップ４３の制御処理である。この処理においては、まず、ＲＦアンプ制御回路５１０が、ＲＦアンプ５２を制御して、ＲＦアンプ５２の内部増幅ゲインを再生レーザーパワー用から記録レーザーパワー用に切り換えるとともに、光ピックアップ４３が出力するレーザーパワーを再生用から記録用に切り変える。以上に示した第１及び第２の処理後、光ピックアップ４３及び磁気ヘッド４５が記録用光ディスク４２に圧縮音声データを記録する。
【００３５】
そして、メモリ回路５３内のデータが記録用光ディスク４２に記録されると、マイクロコントローラ１１５は、ＥＦＭエンコーダ／デコーダ４７の動作を停止させ、光ピックアップ４３のレーザーパワーを再生用に切り換える。
【００３６】
次に、記録用光ディスク４２及び再生用光ディスク４１が入れ替えられると、マイクロコントローラ１１５は、記録用半導体集積回路１１４の入出力制御回路１１３に、サーボＡＤＣ１１０を停止状態にし、ＰＷＭ変換回路５８およびＲＦアンプ制御回路５１０の出力を高インピーダンス状態にするように指示する。また、再生用半導体集積回路１１４ｐの入出力制御回路１１３ｐに、サーボＡＤＣ１１０ｐを動作状態にし、ＰＷＭ変換回路５８ｐおよびＲＦアンプ制御回路５１０ｐの出力を高インピーダンス状態から解除するように指示する。これにより、光ディスク装置１００は、再生用光ディスク４１からデータを読み出す状態になる。以降、上述の動作が繰り返されて、光ディスク間でデータのダビングが行なわれる。
【００３７】
続いて、図２を用いて、再生用半導体集積回路１１４ｐと記録用半導体集積回路１１４との動きを時系列的に説明する。図２において（ａ）は再生用半導体集積回路１１４ｐの動作状態を示す。（ｂ）はオーディオＤＡＣ４１２ｐが出力するアナログ音声信号を示す。この信号は同時に、オーディオＡＤＣ４１６が入力する信号をも示している。（ｃ）は記録用半導体集積回路１１４の動作状態を示している。（ｄ）は再生用半導体集積回路１１４ｐがサーボドライバ５９及びＲＦアンプ５２へ出力する信号とサーボＡＤＣ１１０ｐの動作状態を示す。（ｅ）は記録用半導体集積回路１１４がサーボドライバ５９及びＲＦアンプ５２へ出力する信号とサーボＡＤＣ１１０の動作状態を示す。
【００３８】
図２（ｄ）及び（ｅ）に示すように、マイクロコントローラ１１５は、再生用半導体集積回路１１４ｐによる再生用光ディスク４１からのデータ読み出し期間２１に先立ち、再生用半導体集積回路１１４ｐのサーボＡＤＣ１１０ｐ、ＰＷＭ変換回路５８ｐ、ＲＦアンプ制御回路５１０ｐを動作状態にし、記録用半導体集積回路１１４のサーボＡＤＣ１１０、ＰＷＭ変換回路５８、ＲＦアンプ制御回路５１０を停止状態にする。そして、再生用半導体集積回路１１４ｐによるサーボ制御を実施させる。データ読み出し期間２１が終わると、再生用光ディスク４１と記録用光ディスク４２との相対位置を切り換える期間２２を経て、記録用光ディスク４２へのデータ記録期間２３が始まるが、これに先立ち、マイクロコントローラ１１５は、記録用半導体集積回路１１４のサーボＡＤＣ１１０、ＰＷＭ変換回路５８、ＲＦアンプ制御回路５１０を動作状態にし、再生用半導体集積回路１１４ｐのサーボＡＤＣ１１０ｐ、ＰＷＭ変換回路５８ｐ、ＲＦアンプ制御回路５１０ｐを停止状態にする。そして、記録用半導体集積回路１１４によるサーボ制御を実施させる。
【００３９】
以上のように、マイクロコントローラ１１５は、再生動作または記録動作に応じて、デジタルアナログ変換回路であるサーボＡＤＣ１１０及びサーボＡＤＣ１１０ｐを停止状態にするか否かを制御する。以下、その理由を詳細に説明する。通常、回路に入力される信号は高インピーダンス状態であることが多く、２つ以上の回路に信号を入力する場合、単に並列にその回路を接続すれば良いケースが多い。しかし、アナログデジタル変換回路に信号を入力する場合は、アナログデジタル変換回路の入力インピーダンスが大きく変化することがある。アナログデジタル変換回路は、一般に、まず、内部のコンデンサにアナログ電圧を取り込むサンプルホールド動作を行い、その後、アナログ電圧をデジタルデータに変換する。このサンプルホールドの際、内部のコンデンサに電荷をチャージするために入力インピーダンスが下がる。これが並列に接続している他のアナログデジタル変換回路への入力に影響を与えてしまう。なお、アナログ電圧をデジタルデータに変換する方法としては、逐次比較法などがある。以上のことから、本実施の形態１に係る半導体集積回路および光ディスク装置では、マイクロコントローラ１１５の指示に基づいて、再生動作時にはサーボＡＤＣ１１０を停止状態にし、記録動作時には、サーボ１１０ｐを停止状態にする。
【００４０】
以下、サーボＡＤＣ１１０及び１１０ｐの動作を停止させる方法について、図３を用いて説明する。上述のようにサーボ制御にはフォーカスサーボ、トラッキングサーボなど複数の種類があり、これらの制御は、それぞれＲＦアンプ５２が生成するフォーカス誤差信号、トラッキング誤差信号などを用いて実施する。このため、サーボＡＤＣ１１０，１１０ｐでは、信号選択部３１にて、スイッチ群３２を排他的に制御し、複数の入力から一つの信号をアナログデジタル変換部３３に出力する構成をとっている。各アナログ入力の入力インピーダンスを高くする方法として、信号選択部３１のスイッチ群３２を全て開にする方法が有効である。それは、アナログデジタル変換部３３は、サーボＡＤＣ１１０，１１０ｐが信号を入力する動作からＰＷＭ変換回路５８，５８ｐが信号を出力するまでの動作にかかる遅延時間を小さくするために、後段のサーボループフィルタ５７、５７ｐ、ＰＷＭ変換回路５８，５８ｐと同期して動作させるからである。すなわち、アナログデジタル変換部３３を停止させると、後段のすべての回路に影響を与える可能性がある。よって、スイッチ群３２の制御のみをダビング処理に対応して変更することにより、より少ない回路の変更で、入力インピーダンスを高く保つようにする。
【００４１】
以上のように本実施の形態１に係る光ディスク装置では、同一構成要素からなる２つの半導体集積回路を備えるようにし、一方を記録用半導体集積回路として、もう一方を再生用半導体集積回路として用いるようにした。各半導体集積回路は、従来の光ディスク装置用の半導体集積回路に、サーボドライバ５９にサーボ制御のための信号を出力するＰＷＭ変換回路５８の出力を高インピーダンス状態にするＰＷＭ停止回路１１１と、ＲＦアンプ５２を制御するＲＦアンプ制御回路５１０の出力を高インピーダンス状態にするＲＦアンプ制御停止回路１１２と、サーボ誤差信号をアナログデジタル変換するサーボＡＤＣ１１０を停止状態にするとともに、ＰＷＭ停止回路１１１及びＲＦアンプ制御停止回路１１２を制御する入出力制御回路１１３とを備えるようにした。これにより、本実施の形態１に係る光ディスク装置は、再生時には、記録用半導体集積回路のサーボＡＤＣ１１０、ＰＷＭ変換回路５８及びＲＦアンプ制御回路５１０を停止状態にして、再生用半導体集積回路によりサーボ制御を実施し、記録時には、再生用半導体集積回路のサーボＡＤＣ１１０ｐ、ＰＷＭ変換回路５８ｐ及びＲＦアンプ制御回路５１０ｐを停止状態にして、記録用半導体集積回路によりサーボ制御を実施して、１組の磁気ヘッドと光ピックアップにより、光ディスク間でデータをダビングすることができる。すなわち、１種類の半導体集積回路と、１組の磁気ヘッドと光ピックアップを用いて、データの記録再生という基本動作に加えてダビング処理を行うことが可能となる。
【００４２】
なお、本実施の形態１では、半導体集積回路１１４を記録用半導体集積回路として用いる実施例について説明したが、その構成は半導体集積回路１１４ｐと同一であるため、再生用として用いることも可能である。その場合は、オーディオ切り替えスイッチ１１７をオーディオＤＡＣ４１２側に接続すれば良い。
【００４３】
また、本実施の形態１では、ＰＷＭ停止回路１１１，１１１ｐおよびＲＦアンプ制御停止回路１１２，１１２ｐを用いて高インピーダンス状態を作る実施例について説明したが、ＰＷＭ変換回路５８，５８ｐ、ＲＦアンプ制御回路５１０，５１０ｐの出力を、高インピーダンスとＨｉｇｈの２値出力にし、各回路の出力をそれぞれ１つに合わせ、抵抗を介して接地する構成としても良い。すなわち、ＰＷＭ変換回路５８，５８ｐ、ＲＦアンプ制御回路５１０，５１０ｐは、信号出力時にはＨｉｇｈの信号を出力し、信号停止時は高インピーダンスの信号を出力するようにすれば良い。この構成では、２つの半導体集積回路に対する出力停止指令のタイミングがずれても、２つの半導体集積回路からの出力が衝突する、あるいは２つの半導体集積回路からの出力タイミングがずれて出力の一方が余ることがないため、より安全な光ディスク装置が構成可能となる。
【００４４】
また、本実施の形態１では、半導体集積回路１１４ｐを再生用半導体集積回路として用いる実施例について説明したが、ＥＦＭエンコーダ／デコーダ４７ｐが誤り検出訂正符号処理及びＥＦＭ変調処理したデータを磁気ヘッドドライバ５１２に出力するようにすれば、記録用として用いることも可能である。
【００４５】
また、本実施の形態１では、データを記録または再生するディスクとして、光磁気ディスクを例に挙げて説明したが、本発明の適用対象は、光磁気ディスクのように、記録を行う際に磁気ヘッド４５を使用するものに限るものではなく、相変化型光ディスクや色素系光ディスクなど、光ピックアップが出力するレーザーパワーを変調して記録を行う光ディスクに対しても、適用可能である。
【００４６】
【発明の効果】
以上のように、本発明に係る光ディスク装置によれば、同一構成要素からなる２つの半導体集積回路を備えるようにし、一方を記録用半導体集積回路として、もう一方を再生用半導体集積回路として用いるようにした。そして、各半導体集積回路は、従来の光ディスク装置用の半導体集積回路に、ＲＦアンプに出力する信号を高インピーダンスにする回路と、サーボドライバに出力する信号を高インピーダンスにする回路と、その２つの回路を制御するとともにサーボ制御信号をアナログデジタル変換する回路を停止状態にする回路を備えるようにした。これにより、本発明の光ディスク装置は、再生時には、再生用半導体集積回路によりサーボ制御を実施し、記録時には、記録用半導体集積回路によりサーボ制御を実施して、１組の磁気ヘッドと光ピックアップにより、光ディスク間でデータをダビングすることができる。すなわち、同じ種類の１対の半導体集積回路と、１組の磁気ヘッドと光ピックアップを用いて、データの記録再生という基本動作に加えてダビング処理を行うことが可能となる。このため、１つの光ピックアップと１種類の半導体集積回路で２種類の機能を有することができ、半導体集積回路の開発および量産におけるコストを削減できるとともに、光ピックアップにかかるコストも削減することができる。
【００４７】
さらに、本発明の光ディスク装置を構成する半導体集積回路によれば、光ディスク装置用の従来の半導体集積回路に対して、ＲＦアンプに出力する信号を高インピーダンスにする回路と、サーボドライバに出力する信号を高インピーダンスにする回路と、その２つの回路を制御するとともにサーボ制御信号をアナログデジタル変換する回路を停止状態にする回路を追加するだけで実現可能なため、ダビング機能を有しない光ディスク装置に低コストで適用することができる。
【図面の簡単な説明】
【図１】本発明の実施の形態１に係る光ディスク装置の構成を示すブロック図である。
【図２】本発明の実施の形態１に係る光ディスク装置の動作を示すタイミングチャート図である。
【図３】サーボＡＤＣ１１０，１１０ｐの内部構成を示すブロック図である。
【図４】従来の光ディスク装置の構成を示すブロック図である。
【図５】従来の光ディスク装置の構成を示すブロック図である。
【符号の説明】
４１  再生用光ディスク
４２  記録用光ディスク
４３  光ピックアップ
４４  対物レンズ
４５  磁気ヘッド
４６，５２  ＲＦアンプ
４７  ＥＦＭエンコーダ／デコーダ
４８  間欠再生用メモリ
４９  間欠記録用メモリ
５３  メモリ回路
５４  ショックプルーフメモリコントローラ
５５  音声圧縮エンコーダ／デコーダ
５６，１１０，１１０ｐ  サーボＡＤＣ
５７，５７ｐ  サーボループフィルタ
５８，５８ｐ  ＰＷＭ変換回路
１００，４００，５００  光ディスク装置
１１１，１１１ｐ  ＰＷＭ停止回路
１１２，１１２ｐ  ＲＦアンプ制御停止回路
１１３，１１３ｐ  入出力制御回路
１１４  記録用半導体集積回路
１１４ｐ  再生用半導体集積回路
１１５  マイクロコントローラ
１１６  ＡＤＣ入力切り替えスイッチ
１１７  オーディオ出力切り替えスイッチ
４１０  間欠記録再生用メモリコントローラ
４１１  音声圧縮デコーダ
４１２  オーディオＤＡＣ
４１３  再生信号切り替えスイッチ
４１４  音声圧縮エンコーダ
４１５  圧縮信号切り替えスイッチ
４１６  オーディオＡＤＣ
４１７  サーボ制御回路
４１８  システムコントローラ
５１１  マイクロコントローラ
５１２  磁気ヘッドドライバ
【図１】
2004152415.tif 000003
【図２】
2004152415.tif 000004
【図３】
2004152415.tif 000005
【図４】
2004152415.tif 000006
【図５】
2004152415.tif 000007